(57)【要約】【課題】ミシンベッド積載面付近における押え金の円弧軌跡を容易に変更でき、また押え金の円弧軌跡を変更する際に既存の部品を最大限に流用できるようなミシンプレッサ装置を提供する。【解決手段】ミシン機枠に回転可能に支持されバネで付勢される押上げレバーと、該押上げレバーに連結される連杆と、ブッシュに回転可能に支持され連杆に係合する揺動軸と、揺動軸のクランク片に連結され先端に押え金を固定した押え台と、押え台に係合する弾性部材とを備えたミシンのプレッサ装置において、ミシン機枠の背面に固定位置変更可能なブラケットを設け、該ブラケットに前記ブッシュを固定すると共に、揺動軸のクランク片を二分割可能とし、二分割された揺動軸のクランク片の係合面どおしをブラケットの固定位置変更時に固定し直すことで該クランク片の偏心部を初期の設定場所より変更させないようにした。【選択図】        図１
2004313428.tif 000002
【特許請求の範囲】
【請求項１】
ミシン機枠の背面に回転可能に支持されバネにより一方向に付勢される押上げレバーと、該押上げレバーに連結される連杆と、ブッシュに回転可能に支持され一部が連杆に係合する揺動軸と、揺動軸のクランク片にピンを介して連結され先端に押え金を固定した押え台と、押え台に係合する弾性部材とを備え、該弾性部材により押え台の先端を揺動軸回りで下方に付勢し生地をミシンベッドの積載面に押圧するミシンのプレッサ装置において、ミシン機枠の背面に着脱可能で且つ上下に固定位置変更可能なブラケットを設け、該ブラケットに前記ブッシュを固定すると共に、揺動軸のクランク片を二分割可能とし、二分割されたクランク片の係合面どおしをブラケットの固定位置変更時に１８０°ズラして固定し直すことにより該クランク片の偏心部を初期の設定場所より変更させないようにしたことを特徴とするミシンのプレッサ装置。
【請求項２】
クランク片の二分割は左右に行われ、二分割されたクランク片の係合面どおしは複数個のネジで固定される請求項１記載のミシンのプレッサ装置。
【請求項３】
揺動軸側のクランク片或いは複数個のネジには、他方のクランク片用の支持部が設けられている請求項２記載のミシンのプレッサ装置。
【請求項４】
他方のクランク片用の支持部は揺動軸側のクランク片に対して着脱可能な構成とした請求項３記載のミシンのプレッサ装置。
【請求項５】
クランク片の二分割は上下に行われ、揺動軸側のクランク片は上下に係合面を有する請求項１記載のミシンのプレッサ装置。
【請求項６】
揺動軸側のクランク片に円状の抱締め部を付設するとともに、分割された他方のクランク片に凸状の突出部を形成し、前記両部を嵌合させることで二分割されたクランク片どおしの固定を行う請求項５記載のミシンのプレッサ装置。
【請求項７】
ミシン機枠の背面に回転可能に支持されバネにより一方向に付勢される押上げレバーと、該押上げレバーに連結される連杆と、ブッシュに回転可能に支持され一部が連杆に係合する揺動軸と、揺動軸のクランク片にピンを介して連結され先端に押え金を固定した押え台と、押え台に係合する弾性部材とを備え、該弾性部材により押え台の先端を揺動軸回りで下方に付勢し生地をミシンベッドの積載面に押圧するミシンのプレッサ装置において、ミシン機枠の背面に着脱可能で且つ上下に固定位置変更可能なブラケットを設け、該ブラケットに前記ブッシュを固定し、揺動軸のクランク片を揺動軸より分離可能にすると共に該クランク片に複数の固定個所を設け、該クランク片をブラケットの固定位置変更時に揺動軸にズラして固定し直すことにより該クランク片の偏心部を初期の設定場所より変更させないようにしたことを特徴とするミシンのプレッサ装置。
【発明の詳細な説明】
【０００１】
【産業上の利用分野】
本発明は、上方より生地に係合して該生地を積載面に押圧するミシンのプレッサ装置に関するものである。
【０００２】
【従来の技術】
従来のミシンのプレッサ装置では、押え台に連結される揺動軸がミシン機枠に固定されたブッシュにより支持されていた（例えば、特許文献１参照。）。そして、押え台の先端に固定された押え金は、押えバネ装置（押え棒）により下方つまり加工品支持部材（ミシンベッドの積載面）側に押圧されている。
【０００３】
【特許文献１】
実公平６−１６６０４号公報（第２頁左欄、第５図）
【０００４】
【発明が解決しようとする課題】
ところが、従来のミシンのプレッサ装置では、揺動軸を支持するブッシュがミシン機枠に固定されているので、ミシンベッド積載面付近における押え金の円弧軌跡を変更できなかった。その結果、種類や厚さの異なる生地を縫製する際に、押え金が生地搬送の障害となる場合があった。また、この円弧軌跡を変更する為に押え金の固定位置を押え台上でズラすと押え金がミシンの縫製部より外れてしまい、その結果、ミシンによる適切な縫製が行えなくなるという問題があった。従って、本発明の課題は、ミシンベッド積載面付近における押え金の円弧軌跡を容易に変更でき、また押え金の円弧軌跡を変更する際に既存の部品を最大限に流用できるようなミシンプレッサ装置を提供することを目的としている。
【０００５】
【課題を解決するための手段】
本発明は、上記目的を達成するために、ミシン機枠の背面に回転可能に支持されバネにより一方向に付勢される押上げレバーと、該押上げレバーに連結される連杆と、ブッシュに回転可能に支持され一部が連杆に係合する揺動軸と、揺動軸のクランク片にピンを介して連結され先端に押え金を固定した押え台と、押え台に係合する弾性部材とを備え、該弾性部材により押え台の先端を揺動軸回りで下方に付勢し生地をミシンベッドの積載面に押圧するミシンのプレッサ装置において、ミシン機枠の背面に着脱可能で且つ上下に固定位置変更可能なブラケットを設け、該ブラケットに前記ブッシュを固定すると共に、揺動軸のクランク片を二分割可能とし、二分割されたクランク片の係合面どおしをブラケットの固定位置変更時に１８０°ズラして固定し直すことにより該クランク片の偏心部を初期の設定場所より変更させないようにしたことを特徴とする。
【０００６】
なおクランク片を左右に二分割させ、二分割されたクランク片の係合面どおしを複数個のネジで固定するのが望ましく、揺動軸側のクランク片或いは複数個のネジに他方のクランク片用の支持部を設けるとよい。他方のクランク片用の支持部を揺動軸側のクランク片に対して着脱可能な構成にしてもよい。
【０００７】
またクランク片を上下に二分割させ、揺動軸側のクランク片で上下に係合面を有するのが望ましく、揺動軸側のクランク片に円状の抱締め部を付設するとともに、分割された他方のクランク片に凸状の突出部を形成し、前記両部を嵌合させることで二分割されたクランク片どおしの固定を行うとよい。
【０００８】
さらにミシン機枠の背面に回転可能に支持されバネにより一方向に付勢される押上げレバーと、該押上げレバーに連結される連杆と、ブッシュに回転可能に支持され一部が連杆に係合する揺動軸と、揺動軸のクランク片にピンを介して連結され先端に押え金を固定した押え台と、押え台に係合する弾性部材とを備え、該弾性部材により押え台の先端を揺動軸回りで下方に付勢し生地をミシンベッドの積載面に押圧するミシンのプレッサ装置において、ミシン機枠の背面に着脱可能で且つ上下に固定位置変更可能なブラケットを設け、該ブラケットに前記ブッシュを固定し、揺動軸のクランク片を揺動軸より分離可能にすると共に該クランク片に複数の固定個所を設け、該クランク片をブラケットの固定位置変更時に揺動軸にズラして固定し直すことにより該クランク片の偏心部を初期の設定場所より変更させないようにしてもよい。
【０００９】
【作用】
本発明によれば、ミシン機枠の背面に着脱可能なブラケットを設け、該ブラケットに前記ブッシュを固定するようにしたので、ミシンベッド積載面付近における押え金の円弧軌跡を容易に変更できる。また揺動軸のクランク片を二分割可能になっているので、二分割された揺動軸のクランク片どおしをブラケットの固定位置変更時に固定し直すことにより該クランク片の偏心部を初期の設定場所より変更させないようにできる。左右に二分割されたクランク片を複数個のネジで固定すると確実な固定力を得ることができ、揺動軸側のクランク片或いは複数個のネジに他方のクランク片用の支持方を設けると更に確実な固定力を得ることができる。
【００１０】
なお揺動軸のクランク片を揺動軸より分離可能にすると共に該クランク片に複数の固定個所を設けても、該クランク片をブラケットの固定位置変更時に揺動軸にズラして固定し直すことにより該クランク片の偏心部を初期の設定場所より変更させないようにできる。
【００１１】
【発明の実施の形態】
以下、本発明に係る実施の形態を図面を用いて説明する。ミシンのプレッサ装置は、押上げレバー１、連杆２、揺動軸３、押え台４及び弾性部材５を備える。押上げレバー１は連杆取付け用の孔１ａを有し、該レバー１の基端部はミシン機枠Ｍの背面に段付ネジ６で回転可能に支持されている。バネ７は押上げレバー１と共に段付ネジ６に介装されている。バネ７の一端はミシン機枠Ｍに係止され、他端は押上げレバー１の下部に係止されている。連杆２はフック８と腕９よりなり、両部材８，９は連結されている。フック８は押上げレバー１の孔１ａに取り付けられている。腕９には、爪部９ａが形成されていると共に孔９ｂが穿設されている。
【００１２】
腕９の孔９ｂには揺動軸３が回転可能に介装される。揺動軸３はブッシュ１０に回転可能に支持され、ブッシュ１０はブラケット１１に固定されている。ブラケット１１はネジ１１ａでミシン機枠Ｍの背面に取付けられている。つまりブラケット１１はミシン機枠Ｍに対して着脱可能となっている。またブラケット１１のネジ孔１１ｂ，１１ｂは上下に穿設されており、ネジ１１ａの挿通を上下で使い分けるとブラケット１１はミシン機枠Ｍに対して固定位置を変更できる。
【００１３】
揺動軸３の一方の端部にはクランク片１２が固定され、他方の端部にカラー１３がネジ１４で取付けられている。クランク片１２は左右の分割可能となっており、分割クランク片３１は揺動軸側のクランク片３０に複数個のネジ３ａにより固定される。つまり両クランク片３０，３１の係合面どおしは複数個のネジ３ａで固定されている。揺動軸側のクランク片３０には、図４に示されるように、複数個の支持部３０ａ，３０ａが設けられている。支持部３０ａ，３０ａは分割クランク片３１の孔３１ａ，３１ａに密着するよう嵌合される。
【００１４】
ブッシュ１０にはバネ１５が介装されている。バネ１５の一端はミシン機枠Ｍに係止され、他端は腕９の下部に係止されている。バネ７，１５の作用により押上げレバー１は一方向に付勢され、足踏みペダル等で回動された押上下レバー１に復帰力が与えられる。なお、足踏みペダル等で押上げレバー１が回動されると、揺動軸に固定されたカラー１３の係止部１３ａつまり揺動軸３の一部に腕９の爪部９ａが係合し、揺動軸３が軸心回りに回転する。
【００１５】
分割クランク片３１にはピン１６が虫ネジ１７により固定されている。押え台４は、ピン１６を介して回転可能に分割クランク片３１に連結されている。押え台４の先端には押え金４ａがネジ４ｃにて固定されている。押え金４ａは、ネジ４ｃの弛緩時に押え台４に対する固定位置を長手方向に変更できる。弾性部材５は押え台４の中途に配置されている。弾性部材５は、ミシンアームＡに貫通された筒体１８に設けられ、コイルバネ１９および二股ロッド２０を有する。コイルバネ１９は筒体１８内に挿入されている。二股ロッド２０は中空になっており、そのロッド２０の下端は窪み２０ａを有する。この窪み２０ａは押え台４の左右面を案内する案内面を有する。
【００１６】
二股ロッド２０の中空部にはコイルバネ１９用の係合片２１が係止具２２で固定されている。この係合片２１の下端は二股ロッドの窪み２０ａより奥深くに位置付けられ、この空間にピン２３が介在する。押え台４の上面は溝４ｂを備え、ピン２３の下端が押え台４の溝４ｂに係合するようになしてある。なお手動レバー２５は段付ネジ２６を介してミシンアームＡに取付けられている。手動レバー２５の回動操作により、手動レバー２５の爪部２５ａが二股ロッド２０の係止具２２に係合し、二股ロッド２０による押え台４の押圧が解除される。二股ロッド２０に対するコイルバネ１９の押圧力は調節ネジ２７の旋回操作で調節する。弾性部材５は、押え台４の先端を揺動軸回りで下方に付勢する。これにより押え台４の先端に固定された押え金４ａは、生地をミシンベッドＢの積載面ＢＳに押圧する。
【００１７】
ブラケット１１の固定位置変更時には予めネジ３ａを弛緩して揺動軸のクランク片１２を二分割させておく。この時、揺動軸側のクランク片３０を１８０°ズラし、図５に示されるように、該クランク片３０を分割クランク片３１に固定し直す。これによりクランク片の偏平部３１ｂを初期の設定場所より変更させないようにすることができる。つまり二分割されたクランク片３０，３１の係合面どおしをブラケット１１の固定位置変更時に固定し直すと、クランク片の偏心部３１ｂにおける初期の設定場所をミシン機枠Ｍに対して変更しないようにすることができる。なお図６に示されるように、揺動軸側のクランク片３０に固定ピン３０ｂを設けておくと、該クランク片３０を１８０°回転させる際に固定ピン３０ｂを中心として分割クランク片３１を回転させることができる。
【００１８】
本実施の形態では、揺動軸側のクランク片に支持部を一体的に設けているが、これに限定されるだけでない。例えば、図７に示されるように、支持部３０ａａ，３０ａａを着脱可能にしてもよく、支持部３０ａａ，３０ａａをネジ３ａに固定させるようにしてもよい。またネジ３ａを段付ネジに変更し、段付ネジの段部を支持部３０ａａ，３０ａａの代わりに用いてもよい。
【００１９】
また本実施の形態では、クランク片を左右に二分割しているが、これに限定されるだけでなく、上下に二分割されるクランク片を採用してもよい。以下、上下に二分割されたクランク片およびその周辺構造を説明する。クランク片５０，５１は図８に示されるように、上下に二分割されている。そして図９に示されるように、揺動軸側のクランク片５０には円状の抱締め部５０ａが付設されている。抱締め部５０ａの上下は夫々係合面５０ｂ，５０ｂを備えており、分割された他方のクランク片５１は丸軸（凸）状の突出部５１ａを有している。抱締め部５０ａの保持力はネジ５２で調整でき、両部５０ａ，５１ａを嵌合させることで二分割されたクランク片どおしの固定が行われる。
【００２０】
このような構成を備えたプレッサ装置の場合、揺動軸側のクランク片５０をブラケット１１の固定位置変更時に１８０°回転させてから分割クランク片５１に固定し直すこととなる。つまり揺動軸側のクランク片５０に形成された上下の係合面５０ｂ，５０ｂをブラケット１１の固定位置変更時に切換えて分割クランク片５１の係合面に密着させることで、該クランク片の偏心部５１ｂを初期の設定場所より変更させないようにしている。
【００２１】
また本実施の形態では、揺動軸のクランク片を二分割可能にしているが、これに限定されるだけでなく、例えば揺動軸とクランク片を分離可能にしてもよい。その際、図１０に示されるように、クランク片６１に複数の固定個所６１ａ，６１ａを設けておき、クランク片６１をブラケット１１の固定位置変更時に揺動軸３にズラして固定し直すと、クランク片の偏心部６１ｂを初期の設定場所より変更させないようにすることができる。なお、このような構造の場合、揺動軸３を１８０°回転させる必要がないので、連杆２側の連結部分を調整し直す必要がない。また図１０に示された構成において揺動軸３側の端部に縦溝を設けると、クランク片６１を両サイドより案内でき、十分な固定力を得ることができる。
【００２２】
【発明の効果】
以上のように、本発明によれば、ミシンベッド積載面付近における押え金の円弧軌跡を容易に変更できるので、種類や厚さの異なる生地を縫製する場合であっても押え金が生地搬送の障害とならない。またブラケットの固定位置を変更してもクランク片の偏心部を初期の設定場所より変更させないようにすると、押え金側の初期の設定場所も変更されないので、ミシンのプレッサ装置において関連するパーツを他の対応パーツと交換する必要がない。
【図面の簡単な説明】
【図１】本発明に係るミシンのプレッサ装置の分解斜視図である。
【図２】同装置を備えたミシンの背面図である。
【図３】同装置を備えたミシンの左側面図である。
【図４】同装置の揺動軸クランク片の固定部分を示した分解斜視図である。
【図５】同装置のブラケットと揺動軸クランク片の連結状態を示した説明図である。
【図６】同装置の前記固定部分に関する変形例を示した分解斜視図である。
【図７】同装置の前記固定部分に関する変形例を示した分解斜視図である。
【図８】同装置の別の実施形態を備えたミシンの左側面図である。
【図９】別の実施形態の揺動軸クランク片を示した分解図である。
【図１０】揺動軸とクランク片について更に別の実施形態を示した説明図である。
【符号の説明】
１            押上げレバー
３            揺動軸
４            押え台
４ａ          押え金
５            弾性部材
７            バネ
８            フック（連杆）
９            腕（連杆）
１０          ブッシュ
１１          ブラケット
１２          クランク片
１５          バネ
３０，５０    揺動軸側のクランク片
３１，５１    分割クランク片
５０ａ        抱締め部
５１ａ        凸状の突出部
【図１】
2004313428.tif 000003
【図２】
2004313428.tif 000004
【図３】
2004313428.tif 000005
【図４】
2004313428.tif 000006
【図５】
2004313428.tif 000007
【図６】
2004313428.tif 000008
【図７】
2004313428.tif 000009
【図８】
2004313428.tif 000010
【図９】
2004313428.tif 000011
【図１０】
2004313428.tif 000012